(57)【特許請求の範囲】
【請求項１】
操作キーを配置した第１筐体と、
第１表示部を配置した第２筐体と、
第２表示部を配置した第３筐体と、
前記操作キーと前記第１表示部とが向き合うように前記第１筐体と前記第２筐体とを閉じた状態と、前記閉じた状態から前記第１筐体と前記第２筐体とを略１８０度開いた状態との間を回動自在に、前記第１筐体と前記第２筐体とを結合する第１ヒンジ部と、
前記第１表示部と前記第２表示部とが向き合わないように前記第２筐体と前記第３筐体とを閉じた状態と、前記閉じた状態から前記第２筐体と前記第３筐体とを略１８０度開いた状態との間を回動自在に、前記第２筐体と前記第３筐体とを結合する第２ヒンジ部と、を有し、    
前記第１ヒンジ部を介して前記第１筐体と前記第２筐体とが閉じた状態にされ、かつ、前記第２ヒンジ部を介して前記第２筐体と前記第３筐体とが閉じた状態にされた場合には、前記第２表示部に表示される表示対象を、前記第１ヒンジ部側を上側として前記２表示部に表示し、前記第１ヒンジ部を介して前記第１筐体と前記第２筐体とが開いた状態にされ、かつ、前記第２ヒンジ部を介して前記第２筐体と前記第３筐体とが閉じた状態にされた場合には、前記第１表示部に表示される表示対象を、前記第１ヒンジ部側を下側として前記第１表示部に表示する、ことを特徴とする携帯端末。
【請求項２】
前記第２ヒンジ部の内部に配置したアンテナ、を有する、ことを特徴とする請求項１に記載の携帯端末。
【請求項３】
前記第１ヒンジ部を介した前記第１筐体と前記第２筐体との回動によって、前記アンテナが突出される、ことを特徴とする請求項２に記載の携帯端末。
【請求項４】
前記第１筐体は、矩形板状に形成され、
前記第１ヒンジ部は、前記第１筐体の長手方向一端部と前記第２筐体の一端部とを結合するよう構成されていることを特徴とする請求項１乃至請求項３のいずれか一項に記載の携帯端末。
【請求項５】
前記第１表示部と前記第２表示部とは、前記第２ヒンジ部を介して前記第２筐体と前記第３筐体とが閉じた状態においては同じ画面を表示し、前記第２ヒンジ部を介して前記第２筐体と前記第３筐体とが開いた状態においては異なる画面を表示する、ことを特徴とする請求項１乃至請求項４のいずれか一項に携帯端末。
【請求項６】
前記第１表示部と前記第２表示部とは、前記第２ヒンジ部を介して前記第２筐体と前記第３筐体とが閉じた状態においては待ち受け画面を表示することで前記同じ画面を表示し、前記第２ヒンジ部を介して前記第２筐体と前記第３筐体とが開いた状態においては前記第１表示部が待ち受け画面を表示し、前記第２表示部がモード選択画面を表示することで前記異なる画面を表示する、ことを特徴とする請求項５に記載の携帯端末。
【請求項７】
前記操作キーは、前記第２ヒンジ部を介して前記第２筐体と前記第３筐体とが閉じた状態においては、前記第１表示部の操作に割り当てられ、前記第２ヒンジ部を介して前記第２筐体と前記第３筐体とが開いた状態においては前記第２表示部の操作に割り当てられる、ことを特徴とする請求項１乃至請求項６のいずれか一項に記載の携帯端末。
【発明の詳細な説明】
【技術分野】
【０００１】
本発明は、携帯端末に関し、特に複数の表示部を備えたものに関する。
【背景技術】
【０００２】
一般に、携帯電話やＰＨＳ等の移動体通信端末、或いはＰＤＡ等の携帯端末は折り畳み自在に構成されているものがあり、一方の筐体の表と裏とにそれぞれ液晶などの表示装置を備え、他方の筐体に操作キーを配置しているものもある。
【０００３】
これらの従来技術の２つの表示部を備えた折り畳み式携帯端末においては、折り畳んだ状態では一方の表示部のみを使用者が見ることができ、また、開いた状態では携帯端末をひっくり返すことによってしか両方の表示部を使用者が見ることはできないものであった。
【０００４】
また、他の従来技術の携帯端末としては、例えば特許文献１に記載されているようなものが存在し、これは、所謂折り畳み式携帯電話機ではないが、３つの表示部を折り畳んで筐体の前面に収納しておき、収納した状態にあっては、１つの表示部のみ視認可能であり、表示部を展開した状態にあっては、先の１つの表示部は裏向きとなり他の２つの表示部を視認可能とするものが開示されている。
【０００５】
また、他の従来技術の携帯端末としては、特許文献２に記載されたようなものが存在し、これは、所謂折り畳み式携帯電話機であるが、この折り畳み機構のヒンジ部の回動軸と同軸にパネル部を回動自在に設けたもので、携帯端末を閉じた状態であると何ら表示部を視認することができず、開いた状態であると、パネル部を送話部側の筐体に回動させたり、パネル部を受話部側筐体に回動させたりすることができるものである。
【０００６】
ここで、パネル部を送話部側の筐体に回動させると、受話部側筐体に設けられている表示部とパネル部の裏面に設けられているタッチ液晶パネルとが視認可能となり、パネル部を受話部側の筐体に回動させると、パネル部の表面に設けられている透明液晶パネルと、この透明液晶パネルを通して受話部側筐体に設けられている表示部とを重ね合わせて視認可能となるものである。
【０００７】
また、他の従来技術の携帯端末としては、特許文献３に記載されたようなものが存在し、これは、表示部を収納する際には、各表示部を互いに向き合うよう収納するものであり、収納した状態ではいずれの表示部も視認し得ないものが開示されている。
【０００８】
また、アンテナを備えた従来技術の携帯端末としては、特許文献４に記載されたようなものが存在し、これは、キーを配置する筐体と表示を配置する筐体とをヒンジ部により回動自在に結合することによって、２つの筐体を折り畳める構造のものであって、このヒンジ部内部にアンテナを配置するものもあった。
【特許文献１】特開２００１―２３７９３３号公報
【特許文献２】特開２００１−２９２２０７号公報
【特許文献３】特開２００１−１７５３５５号公報
【特許文献４】特開平１１−２５２２２６号号公報
【発明の開示】
【発明が解決しようとする課題】
【０００９】
しかしながら、前述の如き従来の携帯端末は、所謂受話部側筐体と送話部側筐体とを折り畳む折り畳み式に適用したものは少なく、折り畳んだ状態で視認し得る一方の表示部を開いた状態でも筐体自体を裏返すことなく視認することが可能なものは皆無であった。
【００１０】
また、開いた状態にあっても、２つの表示部を並べて表示したり筐体の前後で表示することができるような構成の携帯端末も皆無であった。
【００１１】
そこで本発明は、複数の折り畳んだ画面を効率よく表示できる新規な筐体構造を提供すると共に、この新規な筐体構造におけるアンテナ収納を施した携帯端末を提供するところにある。
【課題を解決するための手段】
【００１２】
上記問題点を解決する為に、本発明の携帯端末は、操作キーを配置した第１筐体と、第１表示部を配置した第２筐体と、第２表示部を配置した第３筐体と、前記操作キーと前記第１表示部とが向き合うように前記第１筐体と前記第２筐体とを閉じた状態と、前記閉じた状態から前記第１筐体と前記第２筐体とを略１８０度開いた状態との間を回動自在に、前記第１筐体と前記第２筐体とを結合する第１ヒンジ部と、前記第１表示部と前記第２表示部とが向き合わないように前記第２筐体と前記第３筐体とを閉じた状態と、前記閉じた状態から前記第２筐体と前記第３筐体とを略１８０度開いた状態との間を回動自在に、前記第２筐体と前記第３筐体とを結合する第２ヒンジ部と、を有し、前記第１ヒンジ部を介して前記第１筐体と前記第２筐体とが閉じた状態にされ、かつ、前記第２ヒンジ部を介して前記第２筐体と前記第３筐体とが閉じた状態にされた場合には、前記第２表示部に表示される表示対象を、前記第１ヒンジ部側を上側として前記２表示部に表示し、前記第１ヒンジ部を介して前記第１筐体と前記第２筐体とが開いた状態にされ、かつ、前記第２ヒンジ部を介して前記第２筐体と前記第３筐体とが閉じた状態にされた場合には、前記第１表示部に表示される表示対象を、前記第１ヒンジ部側を下側として前記第１表示部に表示する、ことを特徴とするものである。
【発明の効果】
【００１３】
本発明の携帯端末によれば、複数の折り畳んだ画面を効率よく表示できる新規な筐体構造を提供できると共に、この新規な筐体構造におけるアンテナ収納を施した携帯端末を提供できる。
【発明を実施するための最良の形態】
【００１４】
以下、本発明の実施の形態について、図面を参照しながら詳細に説明する。  図１〜図５は本発明の実施の形態を示す図であって、図中、同一の符号を付した部分は同一物を表している。
【００１５】
図１において、１は第１表示部を備える第２筐体、２は第２表示部４を備える第３筐体、６は操作キーを備える第１筐体、７は第１筐体と第２筐体とを折り畳み自在に結合する第１ヒンジ部、５は、第２筐体と第３筐体とを互いに向き合わないように折り畳み自在に結合すると共に第１ヒンジ部７の回動軸と略直交する回転軸を有する第２ヒンジ部である。また、この第２ヒンジ部５の内部には後述するようにアンテナが収納されている。
【００１６】
図１の状態は、第１ヒンジ部と第２ヒンジ部５とを共に閉じた状態であるので、このような状態下にあっても、第２表示部１を使用者によって視認可能となる。
【００１７】
また、更に、第１ヒンジ７と第２ヒンジ５とを共に閉じた状態にあっては、第１ヒンジ部７側を上にして使用するのが通常であるので、第２表示部１に表示される文字や図形等は第１ヒンジ部７側を上側として表示が行われる。
【００１８】
一方、第１ヒンジ部７が略９０度程度開かれた場合を図２に示す。同図においは第１ヒンジ部７側を下にして使用するのが通常であるので、第２表示部４に表示される文字や図形等を第１ヒンジ部側を下側として表示するように切り換わるものである。
【００１９】
尚、ここで、１０は第１筐体に設けられた操作キー、９は送話用のスピーカである。
【００２０】
ここで、図１及び図２から明らかなように、図１の状態から図２の状態へと折り畳み式携帯端末の状態が切り換えられると、第２表示部４の表示向きが上下逆さまに反転する。尚、図１及び図２で表示されている画面は待ち受け画面である。
【００２１】
図３は、第１ヒンジ部７が略１８０度近く開かれた場合を示している。ここで、８は受話音声を出力するスピーカである。図３においては、第２ヒンジ部５は閉じられているため、第１表示部３には初期画面たる待ち受け画面が表示されており、丁度裏側に隠れて見ることができない第２表示部にも同じ画面が表示されている。
【００２２】
このように携帯端末の両側に第１表示部３と第２表示部４とに同じ画面が表示されているので、この携帯端末を持っている人が第１表示部３にて表示内容を確認できる他、向き合っている相手は第２表示部４にて同じ表示内容を確認することができる。
【００２３】
図４は、図３の状態から第３筐体を開いた状態を示す図であり、第２ヒンジ部５は略１８０度開かれている。このように図３から図４へ第２ヒンジ部５の回動状態が開いた状態に遷移すると、第２表示部４の表示内容は初期画面たる待ち受け画面から別の表示画面であるモード選択画面に切り換わる。
【００２４】
このとき、操作キー１０は第１表示部３から第２表示部４の操作に割り当てられるように切り換わる。ここで、第２ヒンジ部５に収納した収納アンテナを例として説明してきたが、本発明はこれに限定されるものではなく、第２ヒンジ部５に収納したアンテナを更に手動やにて引き出すように構成したり自動的に突出する構成のものも含まれる。
【００２５】
図５は、第２ヒンジ部５に収納したアンテナを第１ヒンジ部７の回動動作によって突出させる機構を説明する図である。
【００２６】
同図において、１２は第２ヒンジ部５に突出可能に収納されたアンテナ、１３は第２筐体１と第３筐体とを回動自在に結合する第２ヒンジ部５の配置されたヒンジ、１４は支点１５を中心としてバネ１６により右回動方向に付勢されたレバー、１３はアンテナ１２を突出方向に付勢するバネ、１８はアンテナ１２の下側端部に設けられた前記レバーの一端に係合する係合溝、１７は第１ヒンジ部の回動に応じて回動すると共にレバー１４の他端と係合するカムである。
【００２７】
図５では第１ヒンジ部が開いた状態を示しているものであるので、実際の場合、この状態下ではアンテナ１２が突出状態にされるが、本図面では説明のため突出状態としてはいない。
【００２８】
第２ヒンジ部７が閉じた状態にあっては、カム１７はレバー１４を左方向に回動させないため、レバー１４は支点１５を中心としてバネ１６により右方向に付勢される。ここで、レバー１４の端部には係合爪が設けられており、これがアンテナ１２の係合溝と係合してアンテナ１２は第２ヒンジ部５の内部に収納された状態を保持する。
【００２９】
一方、第２ヒンジ部７が開いた状態にあっては、カム１７はレバー１４の他端を押圧することにより、レバー１４を左方向に回動させる。このレバー１４の左方向の回動によりレバー１４の端部に設けられた係合爪とアンテナ１２の係合溝との係合が外れ、アンテナ１２はバネ１３の付勢力によって第２ヒンジ部５から突出する。
【００３０】
また、第１ヒンジ部７の開く動作によって突出したアンテナ１２は、第１ヒンジ部７を閉じた後に、手動にてアンテナ１２を第２ヒンジ部５内部に押し込むことにより、アンテナ１２の係合溝１３が右方向に付勢されているレバー１４の端部に設けられている係合爪と係合し、アンテナ１２は第２ヒンジ部５内部に収納される。
【００３１】
本発明の携帯端末はこのように構成したことにより、本発明の折り畳み式携帯端末によれば、複数の折り畳んだ画面を効率よく表示できる他、通話状態などでは、第２ヒンジ部が地面に対し垂直状態になるため、ヒンジ部内部に収納されるアンテナも垂直となって垂直偏波を効率よく受信することができる。また、第２ヒンジ部の内部にアンテナを配置したため、筐体の空間をより効率よく使用することができ、携帯端末の小型化を図ることができる。
【００３２】
また、第１ヒンジ部の回動動作によって第２ヒンジ部内に収納したアンテナを突出することができる。
【００３３】
また、第１ヒンジを折り畳んだ状態であっても第２表示部を視認可能であり、第１ヒンジを開き第２ヒンジを閉じた状態にあっては、筐体の前後で第１表示部と第２表示部とを２人の使用者が向き合ってそれぞれ視認可能となり、更に、第１ヒンジと第２ヒンジとを共に開くと、第１表示部と第２表示部とを横に並べて視認可能となる。
【００３４】
以上、本発明の実施の形態について説明したが、本発明の携帯端末用充電装置は、上述の実施の形態例にのみ限定されるものではなく、本発明の要旨を逸脱しない範囲内において種々変更を加え得ることは勿論である。
【図面の簡単な説明】
【００３５】
【図１】本発明の実施の形態の第１ヒンジ部と第２ヒンジ部とを共に閉じた状態の斜視図である。
【図２】本発明の実施の形態の第１ヒンジ部を略９０度開き第２ヒンジ部を閉じた状態の斜視図である。
【図３】本発明の実施の形態の第１ヒンジ部を略１８０度開き第２ヒンジ部を閉じた状態の斜視図である。
【図４】本発明の実施の形態の第１ヒンジ部と第２ヒンジ部とを共に略１８０度開いた状態の斜面図である。
【図５】本発明の実施の形態のアンテナ突出機構を説明する透視図である。
【符号の説明】
【００３６】
１  第２筐体
２  第３筐体
３  第１表示部
４  第２表示部
５  第２ヒンジ部
６  第１筐体
７  第１ヒンジ部
８  スピーカ
９  マイク
１０  操作キー
１１  ヒンジ
１２  アンテナ
１３  バネ
１４  レバー
１５  支点
１６  バネ
１７  カム
【図１】
0004874317.tif 000002
【図２】
0004874317.tif 000003
【図３】
0004874317.tif 000004
【図４】
0004874317.tif 000005
【図５】
0004874317.tif 000006